(57)【要約】【課題】  拡大光学系ユニットの倍率を手術部位に応じて変更することができる双眼拡大鏡を提供すること。【解決手段】  双眼拡大鏡１０は、フレーム１１に眼鏡レンズ１２、１３を装着し、これらのレンズの中心部に物体を拡大して観察する左右の拡大光学系ユニット１４、１５を接着して構成されている。拡大光学系ユニット１４は、対物レンズ１４ａ、接眼レンズ１４ｂ、ダハプリズム１４ｃとを備え、対物レンズ１４ａは対物レンズ鏡筒２０に組み込まれ、ダハプリズム１４ｃはハウジング３０に組み込まれている。対物レンズ鏡筒２０は、スクリュー式の係合部２０ｂを備え、ダハプリズム１４ｃの第１面Ａに対向して配置された対物板３１には、スクリュー式のマウント部３１ａが形成されている。対物板３１は、ねじ３５により側面板３４に着脱可能に取り付けられており、取り外して第１面Ａを清掃できる。【選択図】  図１
2005128305.tif 000002
【特許請求の範囲】
【請求項１】
眼鏡フレームに左右の眼鏡レンズを組み込み、各眼鏡レンズに物体を拡大して観察するための左右の拡大光学系ユニットをそれぞれ装着して構成される双眼拡大鏡において、
前記左右の拡大光学系ユニットは、正のパワーを有する対物レンズと正のパワーを有する接眼レンズとを備えて物体を拡大して観察するための実像式の拡大光学系と、前記対物レンズと接眼レンズとの間に配置されて前記対物レンズにより形成される像を正立させるダハプリズムとを備え、
前記対物レンズは、対物レンズ鏡筒内に組み込まれ、
前記ダハプリズムは、ハウジング内に組み込まれ、
該ハウジングは、前記対物レンズ鏡筒が装着される対物マウント部が形成された対物板を含み、
該対物板は、前記対物レンズに近い側のダハプリズムの光学面を覆い、かつ、前記ハウジングの他の部材に対して着脱可能に取り付けられていることを特徴とする双眼拡大鏡。
【請求項２】
眼鏡フレームに左右の眼鏡レンズを組み込み、各眼鏡レンズに物体を拡大して観察するための左右の拡大光学系ユニットをそれぞれ装着して構成される双眼拡大鏡において、
前記左右の拡大光学系ユニットは、正のパワーを有する対物レンズと正のパワーを有する接眼レンズとを備えて物体を拡大して観察するための実像式の拡大光学系と、前記対物レンズと接眼レンズとの間に配置されて前記対物レンズにより形成される像を正立させるダハプリズムとを備え、
前記対物レンズは、対物レンズ鏡筒内に組み込まれ、
前記ダハプリズムは、前記眼鏡レンズに固定されたハウジング内に組み込まれ、
該ハウジングには、前記対物レンズ鏡筒が装着されるマウント部が形成されると共に、前記対物レンズ鏡筒の脱落を防止する脱落防止機構が備えられていることを特徴とする双眼拡大鏡。
【請求項３】
前記対物レンズ鏡筒は、スクリュー式の係合部を有し、前記マウント部は、前記係合部に螺合するスクリュー式のマウント部であることを特徴とする請求項１または２に記載の双眼拡大鏡。
【請求項４】
前記脱落防止機構は、前記ハウジングの対物レンズ鏡筒の取り付け位置の周囲に突出して形成されたガイド部と、前記対物レンズの光軸に垂直な方向から前記ガイド部に係合すると共に、前記対物レンズ鏡筒の外周に円周方向に沿って形成された溝に入り込んで前記対物レンズ鏡筒を前記ガイド部に対して固定する閂とを備えることを特徴とする請求項２に記載の双眼拡大鏡。
【発明の詳細な説明】
【技術分野】
【０００１】
本発明は、手元にある物体を双眼で拡大して観察するための双眼拡大鏡に関する。
【背景技術】
【０００２】
脳外科手術等の微細な組織を処置する手術においては、医師は処置部を拡大して観察しながら手術を行う。また、処置部を立体的に観察するため、双眼の拡大鏡を用いることが望ましい。特許文献１には、眼鏡の左右レンズの中央部に開口を形成し、これらの開口に拡大光学系ユニットを取り付けて構成される双眼拡大鏡が開示されている。
【０００３】
なお、医師は手術の部位が変化した場合等に拡大鏡の倍率を変更したい場合がある。
【特許文献１】特開２００３−１９５１８５号公報  図２
【発明の開示】
【発明が解決しようとする課題】
【０００４】
しかしながら、特許文献１に開示された双眼拡大鏡は、拡大光学系ユニットの構成が固定されており、倍率を容易に変更することができない。
【０００５】
本発明は、上述した従来技術の問題点に鑑みてなされたものであり、その主たる目的は、拡大光学系ユニットの倍率を手術部位に応じて変更することができる双眼拡大鏡を提供することにある。また、本発明の第１の従たる目的は、変倍のために対物レンズを交換する構成を前提として、交換時に光学系内に入り込んで視野の妨げとなる異物を容易に除去できる構成を提供することにある。さらに、本発明の第２の従たる目的は、変倍のために対物レンズを交換する構成を前提として、交換可能な対物レンズが予期せぬ時に脱落しないような構成を提供することにある。
【課題を解決するための手段】
【０００６】
本発明の第１の態様にかかる双眼拡大鏡は、上記の主目的、および第１の従たる目的を達成させるため、眼鏡フレームに左右の眼鏡レンズを組み込み、眼鏡レンズに物体を拡大して観察するための左右の拡大光学系ユニットをそれぞれ装着した構成において、左右の拡大光学系ユニットを、正のパワーを有する対物レンズと正のパワーを有する接眼レンズとを備えて物体を拡大して観察するための実像式の拡大光学系と、対物レンズと接眼レンズとの間に配置されて対物レンズにより形成される像を正立させるダハプリズムとから構成し、対物レンズを対物レンズ鏡筒内に組み込み、ダハプリズムを眼鏡レンズに固定されたハウジング内に組み込み、ハウジングに、対物レンズ鏡筒が装着される対物マウント部が形成された対物板を含ませ、対物板が、対物レンズに近い側のダハプリズムの光学面を覆い、かつ、ハウジングの他の部材に対して着脱可能に取り付けられていることを特徴とする。なお、光学面とは正規の光束が透過または反射すると想定されたガラス研磨面のことである。
【０００７】
また、本発明の第２の態様にかかる双眼拡大鏡は、上記の主目的、および第２の従たる目的を達成させるため、上記と同様の前提で実像式の拡大光学系ユニットを含み、対物レンズを対物レンズ鏡筒内に組み込み、ダハプリズムを眼鏡レンズに固定されたハウジング内に組み込み、ハウジングに、対物レンズ鏡筒が装着される対物マウント部を形成すると共に、対物レンズ鏡筒の脱落を防止する脱落防止機構を設けたことを特徴とする。
【０００８】
上記のいずれの態様においても、対物レンズ鏡筒にスクリュー式の係合部を設け、マウント部を、係合部に螺合するスクリュー式のマウント部とすることができる。
【０００９】
また、第２の態様における脱落防止機構は、ハウジングのマウント部の周囲に突出して形成されたガイド部と、対物レンズの光軸に垂直な方向からガイド部に係合すると共に、対物レンズ鏡筒の外周に円周方向に沿って形成された溝に入り込んで対物レンズ鏡筒をガイド部に対して固定する閂とを備えるよう構成することができる。
【発明の効果】
【００１０】
本発明によれば、対物レンズを対物レンズ鏡筒に収納してユニット化することにより、鏡筒ごと対物レンズを異なる焦点距離のレンズに交換することにより、拡大光学系の倍率を変更することができる。ただし、対物レンズ鏡筒を交換すると、交換時に鏡筒とマウント部との間の摺動で生じた金属の粉や、外界の塵等の異物がダハプリズムの光学面に付着する場合がある。この状態で接眼レンズ側から観察対象を観察すると、光学面に付着した粉や塵が視野中で目立ち、観察を妨げる虞がある。第１の態様では、対物レンズ側の光学面を覆う対物板をハウジングの他の部材に対して着脱可能にしたことにより、プリズムの光学面に粉や塵が付着した場合にも、対物板を外して清掃することにより、これらを容易に除去することができる。
【００１１】
一方、上記のように対物レンズを対物レンズ鏡筒に組み込んで交換可能にすると、例えばスクリュー式の係合部をマウント部に対して十分にねじ込んでいない場合等には対物レンズ鏡筒が脱落する虞がある。手術時に対物レンズ鏡筒が脱落して術部に接触すれば、重大な事故になりかねない。本発明の第２の態様によれば、ハウジングに、対物レンズ鏡筒の脱落を防止する脱落防止機構を設けたことにより、対物レンズ鏡筒が脱落して事故が発生するのを未然に防ぐことができる。
【発明を実施するための最良の形態】
【００１２】
以下、本発明にかかる双眼拡大鏡の実施形態を説明する。図１は、第１の実施形態にかかる双眼拡大鏡の拡大光学系ユニットの構成を示す側面断面図、図２は、図１の双眼拡大鏡の正面図、図３は、図１の拡大光学系ユニットから光学系のみを取り出した側面図、図４は図１の拡大光学系ユニットの側面図である。
【００１３】
第１の実施形態にかかる双眼拡大鏡１０は、図２に示すように、フレーム１１に左右の眼鏡レンズ１２、１３を装着し、これらの眼鏡レンズ１２、１３の中心部に使用者の瞳孔位置に合わせて貫通孔である開口部(左眼用レンズ１２については図１の符号１２ａ)を形成し、これらの開口部に物体を拡大して観察するための左右の拡大光学系ユニット１４、１５を接着することにより構成されている。
【００１４】
フレーム１１は、レンズ１２、１３を保持するリム１１ａ、１１ｂ、左右のリム１１ａ、１１ｂを接続するブリッジ１１ｃ、リムの内側に配置された鼻当てとなるパッド１１ｄ、１１ｅ、リムの外側で耳にかけるためのテンプル１１ｆ、１１ｇから構成されている。
【００１５】
拡大光学系ユニット１４(以下、左眼用の拡大光学系ユニット１４について説明するが、右眼用の拡大光学系ユニット１５も同一の構成である)の光学系は、図３に示すように、正のパワーを有する対物レンズ１４ａと正のパワーを有する接眼レンズ１４ｂとを備えて物体を拡大して観察するための実像式の拡大光学系と、対物レンズ１４ａと接眼レンズ１４ｂとの間に配置されて拡大光学系の光路を一方側に偏向すると共に像を正立させるダハプリズム１４ｃとから構成されている。
【００１６】
対物レンズ１４ａから入射した観察対象からの光は、第１面Ａからダハプリズム１４ｃに入射し、第２面Ｂで全反射されてダハ面Ｃにより反射され、第１面Ａで全反射され、第２面Ｂを透過して接眼レンズ１４ｂを介して使用者の左眼ＥＬに届く。使用者は、接眼レンズ１４ｂを介して対物レンズ１４ａにより形成された実像を観察する。この実像は、第１面Ａで全反射される位置近傍に形成される。
【００１７】
上記の対物レンズ１４ａと接眼レンズ１４ｂとは、図１に示すように、それぞれ対物レンズ鏡筒２０と接眼レンズ鏡筒２１とに組み込まれ、ダハプリズム１４ｃはハウジング３０に組み込まれている。対物レンズ鏡筒２０および接眼レンズ鏡筒２１は、円筒状のレンズ保持部２０ａ、２１ａと、これより小径で外周にねじ溝が形成されたスクリュー式の係合部２０ｂ、２１ｂとを備えている。
【００１８】
一方、ハウジング３０は、ダハプリズム１４ｃの第１面Ａに対向して配置された対物板３１と、第２面Ｂに対向して配置された接眼板３２と、ダハプリズム１４ｃのダハ面Ｃを覆うカバー３３と、ダハプリズム１４ｃの左右の側面を覆う一対の側面板３４(図４参照)とから構成されている。対物板３１、接眼板３２、側面板３４は平板であり、カバー３３はダハ面Ｃの形状に沿った屋根形に形成されている。対物板３１、接眼板３２の中央部には、それぞれ対物レンズ鏡筒２０と接眼レンズ鏡筒２１に形成された係合部２０ｂ、２１ｂに螺合する雌ねじ孔であるスクリュー式のマウント部３１ａ、３２ａが、形成されている。
【００１９】
拡大光学系ユニット１４の組み立て時には、左右の側面板３４に対して対物板３１を左右２本ずつ４本のねじ３５で仮止めし、同様に接眼板３２を４本のねじ３６で側面板３４に仮止めしてハウジング３０の下部を形成する。次に、ダハプリズム１４ｃの第２面Ｂの四隅に両面テープを貼り、仮止めしたハウジング３０の下部に挿入し、第２面Ｂを接眼板３２に接着する。続いて、ねじ３５、３６を締めてハウジング３０の下部を固定し、カバー３３を図示せぬねじで下部に固定する。ダハプリズム１４ｃは、左右の側面板３４にねじ込んだ複数のセットビス(図示せず)の先端を当てることにより、固定される。次に、対物レンズ１４ａが組み込まれた対物レンズ鏡筒２０と、接眼レンズ１４ｂが組み込まれた接眼レンズ鏡筒２１とをそれぞれ対物板３１、接眼板３２にねじ込んで固定する。
【００２０】
組み立て終わった拡大光学系ユニット１４を眼鏡レンズ１２の開口部１２ａに挿入し、接眼レンズ鏡筒２１の周囲に接着剤を充填して眼鏡レンズ１２に固定する。右眼用の拡大光学系ユニット１５についても、上記と同様に組み立て、眼鏡レンズ１３に固定する。なお、上記の拡大光学系ユニット１４、１５は、使用者の眼鏡処方箋、作動距離(ワーキングディスタンス)、拡大鏡の倍率に基づいて設計され、かつ、使用者の瞳孔間距離に応じて眼鏡レンズ１２、１３の適切な位置に固定される。
【００２１】
使用時には、使用者が双眼拡大鏡１０を装着し、左右の拡大光学系ユニット１４、１５を介して術部等の対象物を拡大観察する。観察倍率を変更する場合には、対物レンズ鏡筒２０を緩めて取り外し、予め用意しておいた異なる焦点距離の対物レンズを組み込んだレンズ鏡筒を取り付ける。このように、複数の対物レンズ鏡筒を用意しておけば、必要に応じて容易に観察倍率を変更することができる。
【００２２】
なお、対物レンズ鏡筒の交換時に鏡筒の係合部２０ａと対物板３１のマウント部３１ｂとの間の摺動で生じた金属の粉や、外界の塵等の異物がダハプリズムの第１面Ａ(光学面)に付着する場合がある。この第１面Ａは本実施形態の場合特に、拡大光学系の結像面に近いため、接眼レンズ１４ｂ側から観察すると、第１面Ａに付着した粉や塵にピントが合って視野中で目立ち、観察を妨げる。そこで、異物が付着した場合には、ねじ３５を緩めて対物板３１取り外し、第１面Ａを清掃する。このように、対物板３１を着脱可能に構成することにより、対物レンズ交換に伴って付着した異物が視野を妨げるという問題を解決することができる。
【００２３】
次に、図５〜図９に基づいて第２の実施形態にかかる双眼拡大鏡について説明する。第２の実施形態の概略構成は第１の実施形態の双眼拡大鏡１０と共通である。すなわち、左右の眼鏡レンズの中心部に拡大光学系ユニットを装着して構成され、それぞれの拡大光学系ユニットは、対物レンズと接眼レンズとから成る実像式の拡大光学系とダハプリズムとから構成される。ただし、第２の実施形態では、ハウジング３０に、対物レンズ鏡筒２０の脱落を防止する脱落防止機構を設けた点が第１の実施形態とは異なる。以下、左眼用の拡大光学系ユニット１４を例にとって説明する。
【００２４】
図５は、第２の実施形態にかかる双眼拡大鏡に組み込まれた拡大光学系ユニットの側面図、図６は、図５のユニットの対物レンズ鏡筒を示す側面図、図７は、図５を対物レンズ鏡筒側から見た正面図、図８は、図５のユニットの閂５０を示す平面図である。
【００２５】
図５に示すように、拡大光学系ユニット１４は、対物レンズを組み込んだ対物レンズ鏡筒４０と、接眼レンズを組み込んだ接眼レンズ鏡筒２１とが、第１の実施形態と同様に、それぞれダハプリズムを収納するハウジング３０の対物板３１と接眼板３２とにねじ込まれて固定されている。
【００２６】
対物レンズ鏡筒４０は、図６に示すように、対物レンズ(図示せず)を収納する円筒状のレンズ保持部４１と、これより小径で外周にねじ溝が形成されたスクリュー式の係合部４２とを備え、レンズ保持部４１の係合部４２側の外周には、円周方向に沿って円環状の溝４１ａが、形成されている。一方、対物板３１には、図７に示すように、対物レンズ鏡筒４０の取り付け位置の周囲の４箇所にガイド部３１ｂが突出して形成されている。ガイド部３１ｂは、それぞれ上下の外側に向けて開放する係合溝が左右方向に沿って形成された突起であり、断面はコ字状である。
【００２７】
対物レンズ鏡筒４０を対物板３１にねじ込み、図８に示すようなコ字状の閂５０を対物レンズの光軸に垂直な方向に沿って(図７の左側から)、ガイド部３１ｂの係合溝に挿通すると、この閂５０は対物レンズ鏡筒４０の溝４１ａに入り込み、対物レンズ鏡筒をガイド部３１ｂに対して固定する。これらのガイド部３１ｂ、溝４１ａ、閂５０により、対物レンズ鏡筒４０の脱落を防止する脱落防止機構が構成されている。
【００２８】
第２の実施形態によれば、対物レンズ鏡筒４０を最後までねじ込まなければ閂５０を装着することができないため、鏡筒のはめ込みが緩いまま使用するのを予防することができる。また、閂５０により光軸方向の可動範囲は制限されているため、鏡筒が多少緩んだとしても、鏡筒の係合部４２がハウジング３０から完全に抜けることはなく、対物レンズ鏡筒４０の脱落を防止することができる。
【図面の簡単な説明】
【００２９】
【図１】第１の実施形態にかかる双眼拡大鏡の拡大光学系ユニットの構成を示す側面断面図である。
【図２】図１の双眼拡大鏡の正面図である。
【図３】図１の拡大光学系ユニットから光学系のみを取り出した側面図である。
【図４】図１の拡大光学系ユニットの側面図である。
【図５】第２の実施形態にかかる双眼拡大鏡に組み込まれた拡大光学系ユニットの側面図である。
【図６】図５のユニットの対物レンズ鏡筒を示す側面図である。
【図７】図５を対物レンズ鏡筒側から見た正面図である。
【図８】図５のユニットの閂を示す平面図である。
【符号の説明】
【００３０】
１０  双眼拡大鏡
１１  眼鏡フレーム
１２、１３  眼鏡レンズ
１４、１５  拡大光学系ユニット
１４ａ  対物レンズ
１４ｂ  接眼レンズ
１４ｃ  ダハプリズム
２０  対物レンズ鏡筒
２１  接眼レンズ鏡筒
３０  ハウジング
３１  対物板
３２  接眼板
３３  カバー
３４  側面板
４０  対物レンズ鏡筒
４１ａ  溝
５０  閂
【図１】
2005128305.tif 000003
【図２】
2005128305.tif 000004
【図３】
2005128305.tif 000005
【図４】
2005128305.tif 000006
【図５】
2005128305.tif 000007
【図６】
2005128305.tif 000008
【図７】
2005128305.tif 000009
【図８】
2005128305.tif 000010